(57)【要約】【課題】発光ダイオードからの熱を十分に放熱することができて、しかも壊れた又は寿命の来た発光ダイオードを簡単に交換することができる面発光表示装置を提供する。【解決手段】導光板１７，１９と導光板の裏面に前面が接触する放熱板２１，２３とからなる導光板ユニット１３，１５と、導光板ユニットの一辺に沿って配置されて、導光板内に光を放射する複数の発光ダイオードを備えた複数の回路基板ユニット２５，２７と、導光板の前面側に配置されて導光板からの光によって照らされる標示板９，１１と、標示板の前面の大部分を露出させるようにして、導光板ユニット１３，１５及び標示板９，１１を保持する保持用構造物７とを具備する。回路基板ユニット２５，２７が装着された熱伝導性を有する基板ユニット取付具２９，３１を熱伝導性を有する保持用構造物７に交換可能に取り付ける。【選択図】  図３
2011118041.tif 000002
【特許請求の範囲】
【請求項１】
導光板と前記導光板の裏面に前面が接触する放熱板とからなる導光板ユニットと、
前記導光板ユニットの一辺に沿って配置されて、前記導光板内に光を放射する複数の発光ダイオードを備えた複数の回路基板ユニットと、
前記複数の回路基板ユニットが個別に実装された熱伝導性を有する複数の基板ユニット取付具と、
前記導光板の前面側に配置されて前記導光板から放射される光によって照らされる標示板と、
前記標示板の前面の大部分を露出させるようにして、前記導光板ユニット、前記標示板及び前記複数の基板ユニット取付具を保持する保持用構造物とを具備し、
前記保持用構造物は、熱伝導性を有し且つ前記放熱板の裏面と接触する部分を有し且つ前記複数の基板ユニット取付具の交換を許容するように導光板ユニット及び前記標示板の周囲を囲む第１の構造体と、前記第１の構造体と組み合わされた状態で、前記第１の構造体と協働して前記複数の基板ユニット取付具を交換できないように覆う第２の構造体とを備え、
前記複数の基板ユニット取付具は、前記第２の構造体と前記第１の構造体との組合せが解除されている状態で、交換可能に前記第１の構造体に固定されていることを特徴とする面発光表示装置。
【請求項２】
前記基板ユニット取付具は、前記回路基板ユニットが装着される基板装着部と、該基板装着部と一体に設けられ且つ前記第２の構造体が外された状態にあるときに前記第１の構造体に取り外し可能に固定される被固定部と、前記導光板の前記前面の一部と接触する接触部とを備えていることを特徴とする請求項１に記載の面発光表示装置。
【請求項３】
前記放熱板は、前記被固定部と前記第１の構造体とで挟まれる延長部を備えている請求項２に記載の面発光表示装置。
【請求項４】
前記複数の回路基板ユニットに電力を供給する１以上の電源装置を更に備え、
前記第２の構造体は、前記電源装置を内部に収納できる構造を有しており、
前記電源装置と前記複数の回路基板ユニットとは、前記第２の構造体が外された状態にあるときに取り外し可能なコネクタ付きのワイヤハーネスを用いてそれぞれ電気的に接続されている請求項１に記載の面発光表示装置。
【請求項５】
前記電源装置は、前記第２の構造体の一部に装着されており、前記一部は他の部分とは別に前記第１の構造体から分離できるように構成されている請求項４に記載の面発光表示装置。
【請求項６】
前記第２の構造体の前記一部は、ヒートシンク機能を有している請求項５に記載の面発光表示装置。
【請求項７】
前記第１の構造体は、固定部に対して２以上の取付構造を介して取り付けられるフレーム材を備えており、
前記取付構造は、前記固定部に固定されたアンカーボルトと、前記アンカーボルトとの位置関係を調節可能に前記アンカーボルトに固定される位置調整型固定具とを備え、
前記位置調整型固定具が前記フレーム材に固定されている請求項１に記載の面発光表示装置。
【請求項８】
前記フレーム材には、前記第２の構造体を取り外し可能に取り付ける複数の取付金具が前記フレーム材の長手方向に間隔をあけて固定されており、
前記第２の構造体は、複数の分割構造体によって構成され、前記複数の分割構造体が、前記複数の取付金具に個別に取り外し可能に取り付けられている請求項７に記載の面発光表示装置。
【請求項９】
前記第２の構造体には、前記電源への電力の供給を遮断する遮断スイッチの操作部が操作可能に突出する導出孔が形成されている請求項４に記載の面発光表示装置。
【請求項１０】
導光板と前記導光板の裏面に前面が接触する放熱板とからなる一対の導光板ユニットと、
前記一対の導光板ユニットのそれぞれの一辺に沿って配置されて、前記導光板内に光を放射する複数の発光ダイオードを備えた複数の回路基板ユニットと、
前記複数の回路基板ユニットが個別に実装された熱伝導性を有する複数の基板ユニット取付具と、
前記導光板の前面側に配置されて前記導光板から放射される光によって照らされる一対の標示板と、
前記一対の標示板の前面の大部分を露出させるようにして、前記一対の導光板ユニット、前記一対の標示板及び前記複数の基板ユニット取付具を保持する保持用構造物とを具備し、
前記保持用構造物は、熱伝導性を有し且つ前記放熱板の裏面と接触する部分を有し且つ前記複数の基板ユニット取付具の交換を許容するように一対の導光板ユニット及び前記一対の標示板の周囲を囲む第１の構造体と、前記第１の構造体と組み合わされた状態で、前記第１の構造体と協働して前記複数の基板ユニット取付具を交換できないように覆う第２の構造体とを備え、
前記複数の基板ユニット取付具は、前記第２の構造体と前記第１の構造体との組合せが解除されている状態で、交換可能に前記第１の構造体に固定されていることを特徴とする面発光表示装置。
【請求項１１】
請求項１乃至１０のいずれか１項に記載の面発光表示装置を利用した看板。
【発明の詳細な説明】
【技術分野】
【０００１】
本発明は、複数の発光ダイオード（以下「ＬＥＤ」と記す）からの光を、導光板を通して導光板の前面に導くエッジライト式面発光表示装置に関するものである。
【背景技術】
【０００２】
特開２００６−１１１０１号公報［特許文献１］には、導光板の一辺の側面に沿って配置された光源として用いられる複数のＬＥＤと、導光板の前面と背面側に配置された透光性を有する前面板及び背面板と、前面板と背面板との間に全周にわたって設けられた止水材（シーリング材）とから構成された面発光表示板を、金属製の枠体で保持した面発光表示装置が開示されている。この装置では、光源から発生する熱を熱伝導性の高い金属製のアングル材から構成された枠体から放熱している。
【０００３】
また特開２００４−２７１７３４号公報［特許文献２］には、複数のＬＥＤからなる光源を保持するアルミニューム合金の押し出し成型品からなる発光体取付部材で、透光性のパネルの一辺を保持した面発光表示装置が開示されている。この公報には、ＬＥＤの温度が上昇するとＬＥＤの寿命が短くなるため、ＬＥＤの放熱を促進できる発光体取付部材を用いることが有効であることが開示されている。
【０００４】
さらに特開２００５−３８７７１号公報［特許文献３］、特開２００６−２６９１４０号公報［特許文献４］及び特開２００８−２７５９２０号公報［特許文献５］には、面発光表示装置の光源として用いられるＬＥＤから出る熱を、伝熱部材を用いて放熱する技術が開示さている。
【０００５】
さらに特開２００４−３２５６０４号公報［特許文献６］には、片面発光表示装置において、表示器本体内に電源、非常用電源及び表示ユニットを係止する表示ユニットホルダと複数のＬＥＤを備えた回路基板とを収納し、表示ユニットホルダ及び回路基板に放熱板を接続して、電源及びＬＥＤからの熱を表示器本体の外部に放熱する構造が開示されている。
【０００６】
また特許第３８１２６７３号公報［特許文献７］の図３には、複数のＨ形ソケットにそれぞれＬＥＤを実装した回路基板を装着し、大きな導光板の一辺にこれら複数のＨ形ソケットを取り外し可能に並べて取付けた面光源装置が開示されている。この装置では、回路基板に実装したＬＥＤが一部壊れた場合に、その壊れたＬＥＤが実装された基板を装着したＨ形ソケットを新たなものと交換することが開示されている。
【０００７】
更に特開２００７−２２０７９号公報［特許文献８］にもＬＥＤ等の光源を実装したユニットを複数並べ、壊れたＬＥＤが実装されたユニットだけを交換する技術が開示されている。
【先行技術文献】
【特許文献】
【０００８】
【特許文献１】特開２００６−１１１０１号公報
【特許文献２】特開２００４−２７１７３４号公報
【特許文献３】特開２００５−３８７７１号公報
【特許文献４】特開２００６−２６９１４０号公報
【特許文献５】特開２００８−２７５９２０号公報
【特許文献６】特開２００４−３２５６０４号公報
【特許文献７】特許第３８１２６７３号公報
【特許文献８】特開２００７−２２０７９号公報
【発明の概要】
【発明が解決しようとする課題】
【０００９】
エッジライト式面発光表示装置（以下「面発光表示装置」と記す）は、パソコン、テレビ、携帯電話等の画面として開発されて使用されてきたため、使用装置中の発光体に１万時間以上の長時間保証を行う必要がなく、ＬＥＤを発光体として利用する場合でも交換することはなかった。
【００１０】
一方、案内看板や広告看板は従来蛍光灯や冷陰極管を用いた内照式が主体であったが、最近は省エネルギーを目指してＬＥＤを使用するものが開発されている。案内看板や広告看板は継続して十年程も使用するため、ＬＥＤの寿命を延ばすためには発生熱の放熱を積極的に図ると共に、壊れたり、寿命の来たＬＥＤを交換できるようにする必要がある。
【００１１】
また、案内看板や広告看板は設置場所により仕様が限定されることが多く、電源部についても看板中に組み込んだり寸法を小さくしたりすることが多い。その場合、電源部から出る熱の影響がＬＥＤに及ばないようにすることや、電源の点検が容易な構造とすることが必要である。
【００１２】
特許文献１乃至６に示された従来の面発光表示装置では、ＬＥＤからの熱は放熱することができる。しかし壊れたＬＥＤを簡単に交換することができない。また、特許文献７及び８に示された面発光表示装置では、壊れたＬＥＤを簡単に交換することができるものの、ＬＥＤからの熱を十分に放熱することができない。
【００１３】
本発明の目的は、ＬＥＤからの熱を十分に放熱することができて、しかも壊れたＬＥＤを簡単に交換することができる面発光表示装置を提供することにある。
【００１４】
本発明の他の目的は、上記目的に加えて、電源から発生する熱の放熱と点検が容易な面発光表示装置を提供することにある。
【課題を解決するための手段】
【００１５】
本発明の面発光表示装置は、導光板と導光板の裏面に前面が接触する放熱板とからなる導光板ユニットと、導光板ユニットの一辺に沿って配置されて、導光板内に光を放射する複数のＬＥＤを備えた複数の回路基板ユニットと、複数の回路基板ユニットが個別に実装された熱伝導性を有する複数の基板ユニット取付具と、導光板の前面側に配置されて導光板からの光によって照らされる標示板と、標示板の前面の大部分を露出させるようにして、導光板ユニット、標示板及び複数の基板ユニット取付具を保持する保持用構造物とを具備する。
【００１６】
なお導光板は、複数のＬＥＤからの光を導光板の内部に導いて導光板の前面全体から光を放射できるものであれば、１層構造でも、また多層構造でも、どのような構造であってもよい。なお放熱板が導光板内に光を反射する反射板としての機能を有していてもよいのは勿論である。保持用構造物は、熱伝導性を有し且つ放熱板の裏面と接触する部分を有し且つ複数の基板ユニット取付具の交換を許容するように導光板ユニット及び標示板の周囲を囲む第１の構造体と、第１の構造体と組み合わされた状態で、第１の構造体と協働して複数の基板ユニット取付具を交換できないように覆う第２の構造体とを備えている。そして複数の基板ユニット取付具は、第２の構造体と第１の構造体との組合せが解除されている状態で、交換可能に第１の構造体に固定されている。
【００１７】
本発明によれば、回路基板ユニットが装着された熱伝導性を有する取付具を、熱伝導性を有する第１の構造体に交換可能に取り付けているので、回路基板ユニットで発生する熱が、取付具を介して第１の構造体に放熱される。熱伝導性を有する取付具は、一般的にはアルミニューム板、銅板等の金属板を加工してなる金属製の取付具を用いるのが好ましい。回路基板ユニットを交換する際には、第２の構造体を取り外し、取付具を第１の構造体から外して、回路基板ユニットを交換する。このようにすると一つの回路基板ユニットで不具合（ＬＥＤの故障）が発生した場合でも、交換が容易である。
【００１８】
取付具としては、回路基板ユニットが装着される基板装着部と、基板装着部と一体に設けられ且つ第２の構造体が外された状態にあるときに第１の構造体に取り外し可能に固定される被固定部と、導光板の前面の一部と接触する接触部とを備えたものを用いることができる。この取付具は、取付具の接触部が、導光板の押さえ具としても機能している。そのため導光板の交換も容易になる。また取付具の接触部からも熱を吸収することができるので、放熱が良好になる。
【００１９】
なお放熱板は、被固定部と第１の構造体とで挟まれる延長部を備えているのが好ましい。このような延長部を設けると、放熱板を利用した放熱が更に良好なものとなる。
【００２０】
面発光表示装置が、複数の回路基板ユニットに電力を供給する１以上の電源を備えた電源装置を更に備えていてもよい。第２の構造体は、電源装置を内部に収納できる構造を有しているのが好ましい。この場合には、電源装置と複数の回路基板ユニットとを、第２の構造体が外された状態にあるときに取り外し可能なコネクタ付きのワイヤハーネスを用いてそれぞれ電気的に接続するのが好ましい。コネクタ付きのワイヤハーネスを用いると、回路基板ユニットの取り外し作業が容易になる。
【００２１】
電源装置が、第２の構造体の一部に装着されており、この一部は第２の構造体の他の部分とは別に第１の構造体から分離できるように構成されている。このようにすると電源装置を点検する際に、第２の構造体の一部を外すだけでよく、電源装置の点検が容易になる。この場合、第２の構造体の一部は、ヒートシンク機能を有しているのが好ましい。このような構造にすると、電源装置から発生する熱は、ヒートシンク機能を有する第２の構造体の一部から外部に放出されるため、回路基板ユニットのＬＥＤに電源装置から出た熱が影響を与えるのを防止または抑制することができる。
【００２２】
第１の構造体は、壁や天井等の固定部に対して２以上の取付構造を介して取り付けられるフレーム材を備えているのが好ましい。この場合、取付構造は、固定部に固定されたアンカーボルトと、アンカーボルトとの位置関係を調節可能にしてアンカーボルトに固定される位置調整型固定具とを備えた構造とすることができる。位置調整型固定具は、フレーム材に固定される。このような位置調整型固定具を用いると、固定部に事前に固定したアンカーボルトの固定位置が正確でない場合でも、位置調整型固定具によりアンカーボルトとの位置関係を調節できるため、設置作業が簡単になる。
【００２３】
前述のフレーム材には、第２の構造体を取り外し可能に取り付ける複数の取付金具がフレーム材の長手方向に間隔をあけて固定されているのが好ましい。この場合には、第２の構造体を、複数の分割構造体によって構成し、複数の分割構造体を、複数の取付金具に個別に取り外し可能に取り付ける。このようにすると回路基板ユニットの交換のために、第２の構造体を外す場合でも、交換が必要な回路基板ユニットに対応する位置にある分割構造体だけを外せばよく、交換作業が簡単になる。
【００２４】
第２の構造体に、電源への電力の供給を遮断する遮断スイッチの操作部が操作可能に突出する導出孔を形成するのが好ましい。第２の構造体の外部に遮断スイッチの操作部が出ていれば、点検及び交換作業をする際に、遮断スイッチを切ってから作業を開始することができるので、作業の安全性を確保することができる。
【００２５】
本発明は片面の面発光表示装置だけでなく、両面の面発光表示装置に適用してもよいのは勿論である。また本発明の面発光表示装置は、看板を含む種々の用途に利用可能である。
【図面の簡単な説明】
【００２６】
【図１】本発明を例えば駅構内で使用する案内表示装置に適用した実施の形態の正面図である。
【図２】図１のＡ−Ａ線断面図である。
【図３】電源の内部構造を概略的に示した図１のＢ−Ｂ線断面図の腰部の拡大図である。
【図４】図２の要部の拡大分解図である。
【図５】導光板ユニットの斜視図である。
【図６】（Ａ）及び（Ｂ）は、本発明の面発光表示装置の第２の実施の形態で用いる保持用構造物１０７の正面図及び平面図である。
【図７】図６（Ａ）のＡ−Ａ線断面図である。
【図８】図６（Ａ）のＢ−Ｂ線断面図である。
【図９】図６（Ａ）のＣ−Ｃ線断面図である。
【図１０】図６（Ａ）のＤ−Ｄ線断面図である。
【発明を実施するための形態】
【００２７】
以下図面を参照して本発明の面発光表示装置の実施の形態の一例を詳細に説明する。図１は、本発明の実施の形態の面発光表示装置１を例えば駅構内で使用する案内表示装置に適用した実施の形態の正面図である。図１に示した面発光表示装置１の右半部は標示板（表示パネル）及び導光板ユニットを除いた状態で示してあり、左半部は後述する標示板９を嵌めた状態を示している。この面発光表示装置１は、天井の２カ所に取付構造３を用いて取り付けられている。面発光表示装置１は、電源収納部５と、保持用構造物７とを備えている。なお図１には示していないが、面発光表示装置１は背面側にも情報を記載した標示板（表示パネル）が装着されている。
【００２８】
図２は、図１のＡ−Ａ 線断面図を示しており、図３は電源の内部構造を概略的に示した図１のＢ−Ｂ線断面図の要部の拡大図であり、図４は図２の要部の拡大分解図であり、図５は導光板ユニットの斜視図である。なお図２乃至図４には、理解を容易にするために、細部の断面部分にはハッチングを付していない。
【００２９】
面発光表示装置１は、前面発光表示用と背面発光表示用のために、第１及び第２の標示板９及び１１と、第１及び第２の導光板ユニット１３及び１５とを用いる。第１及び第２の標示板９及び１１は、光透過性を有する板材又はシートにより構成することができる。例えば、第１及び第２の標示板９及び１１の材料は、アクリルやポリカ等の透明または乳白色の板材である。本実施の形態では、第１及び第２の標示板９及び１１の裏面に、光透過性を有する標示板繋板１０及び１２がそれぞれ貼付されている。この標示板繋板１０及び１２は、２枚の標示板を繋ぐために用いるものであって、一枚の標示板だけを用いる場合には不要である。第１及び第２の標示板９及び１１は、第１及び第２の導光板ユニット１３及び１５の前方側に配置される。
【００３０】
第１及び第２の導光板ユニット１３及び１５は、導光板１７及び１９と、放熱板２１及び２３とを備えている。また後に詳しく説明するが、導光板ユニット１３及び１５の一辺１３Ａ及び１５Ａに沿って配置されて、導光板１７及び１９内に光を放射する複数のＬＥＤを備えた複数の回路基板ユニット２５及び２７を備えている。導光板１７及び１９は、複数のＬＥＤからの光を導光板１７及び１９の内部に導いて導光板１７及び１９の前面全体から光を放射できるものであれば、１層構造でも、また多層構造でも、どのような構造であってもよい。放熱板２１及び２３は、複数のＬＥＤから出る熱を放熱するアルミニュームや銅のように熱伝導性の高い材料から形成されている。本実施の形態では、放熱板２１及び２３が導光板１７及び１９内に光を反射する反射板としての機能を有しているので、本実施の形態の導光板１７及び１９の構造は、反射板として機能する放熱板２１及び２３の存在を前提とした構造となっている。すなわち、放熱板２１及び２３は、導光板側の面に反射用白色シートを貼付または白色に塗色してあってもよい。
【００３１】
具体的に、導光板１７及び１９は透明なアクリル板により構成されている。また本実施の形態の放熱板２１及び２３は、導光板１７及び１９内を越えて延びる延長部２１Ａ及び２３Ａを備えている。延長部２１Ａ及び２３Ａには、取付用リベットＲが貫通する図示しない複数の貫通孔が形成されている。
【００３２】
保持用構造物７は、熱伝導性を有し且つ放熱板２１，２３の裏面と接触する部分を有し且つ後述する複数の基板ユニット取付具２９，２７の交換を許容するように導光板ユニット１３，１５及び標示板９，１１の周囲を囲む第１の構造体７１（７６，７７，７８，７９）と、第１の構造体７１と組み合わされた状態で、第１の構造体７１と協働して複数の基板ユニット取付具２９，３１を交換できないように覆う第２の構造体７３とを備えている。
【００３３】
保持用構造物７は、第１の導光板ユニット１３の放熱板２１と第２の導光板ユニット１５の放熱板２３とを所定の間隔Ｌをあけて対向させた状態で第１の導光板ユニット１３及び第２の導光板ユニット１５を位置決めし、第１の導光板ユニット１３の導光板１７の前面１７Ａの前方側に第１の標示板９を位置決めし且つ第２の導光板ユニット１５の導光板１９の前面１９Ａの前方側に第２の標示板１１を位置決めした状態で、第１及び第２の導光板ユニット１３及び１５並びに第１及び第２の標示板９及び１１の外周部を囲む構造を有している。放熱板２１と放熱板２３との間隔Ｌは、相互に伝熱しないよう空気層を設けるためのものであり、少なくとも数ｍｍが必要である。実用的には、面発光表示装置を大きくすると、保持用構造物７の機械的強度が必要となる。このため、後述する内部補強材７５Ａ乃至７５Ｅは構造体としての強度が上がるように断面寸法を大きくする必要がある。本実施の形態のように駅内に使用する面発光表示装置１では、間隔Ｌは１０ｍｍである。
【００３４】
保持用構造物７は、複数のＬＥＤが実装された複数の回路基板ユニット２５及び２７に沿って延びる金属製の第１のフレーム材７６と、第１のフレーム材７６と上下方向に対向する金属製の第２のフレーム材７７と、第１及び第２のフレーム材７６及び７７のそれぞれの端部を連結する金属製の第３のフレーム材７８と、第１及び第２のフレーム材７６及び７７のそれぞれの他端を連結する金属製の第４のフレーム材７９とを備えている。具体的には、第１乃至第４のフレーム材７６乃至７９は、それぞれアルミニュームの押し出し成形品によって構成されている。そして本実施の形態では、４つのフレーム材７６乃至７９のうち、第１及び第２のフレーム材７６及び７７は、第１の導光板ユニット１３の放熱板２１と第２の導光板ユニット１５の放熱板２３とに熱伝達可能に接触するように構成されている。
【００３５】
図３及び図４に拡大して示すように、第１のフレーム材７６は、一対の対向壁部７６Ａ及び７６Ｂと、一対の対向壁部７６Ａ及び７６Ｂの一端を連結する連結壁部７６Ｃと、一対の対向壁部７６Ａ及び７６Ｂの内壁部を連結する中間連結壁部７６Ｄと、第１及び第２の一対のリブ７６Ｅ及び７６Ｆとを備えた、アルミニュームの押し出し成形品からなる長尺物である。第１のフレーム材７６には、図２に示す通り、第２の構造体７３を取り外し可能に取り付ける複数の角管構造部材５０が第１のフレーム材７６の長手方向に間隔をあけて固定されている。具体的には第１のフレーム材７６の連結壁部７６Ｃ及び中間連結壁部７６Ｄに、複数本の取付ボルトＢが貫通する複数の孔が長手方向に間隔をあけて直線状に配置されている。取付ボルトＢは連結壁部７６Ｃの下部でナットＮによりナット締めする。
【００３６】
なお本実施の形態では、図１及び図４に示すように、ボルトＢを利用して、内部補強材７５Ａ乃至７５Ｅが第１及び第２のフレーム材７６及び７７に固定されている。内部補強材７５Ａ乃至７５Ｅは面発光装置に必要な強度から設計により構造を決定できる。本実施の形態では、チャンネル形断面をした薄板で、長手方向端部に天板を溶接し、天板に取付ボルトＢが貫通する孔が形成されている。内部補強材７５Ａ乃至７５Ｅのある位置では、取付ボルトＢは天板の内側でナット締めされる。
【００３７】
図２に示すように、第２のフレーム材７７は、第１のフレーム材７６と同様に、押し出し成形により一体に形成されており、長尺本体７７Ａと、長尺本体７７Ａの幅方向の両端から起立する一対の起立壁部７７Ｂ及び７７Ｃと、長尺本体７７Ａの中央に一体に設けられた中央構造部７７Ｄとから構成されている。中央構造部７７Ｄは、対向する一対の対向壁部７７Ｅ及び７７Ｆと一対の対向壁部７７Ｅ及び７７Ｆの内壁部を連結する中間連結壁部７７Ｇとから構成されている。また長尺本体７７Ａには、中央構造部７７Ｄの一対の対向壁部７７Ｅ及び７７Ｆとの間に一対の第１のスリット７７Ｈを形成し且つ一対の起立壁部７７Ｂ及び７７Ｃとの間に第２のスリット７７Ｉを形成する一対のリブ７７Ｊ及び７７Ｋとを一体に備えている。一対の第１のスリット７７Ｈには、導光板ユニット１３及び１５の下辺が嵌合されており、一対の第２のスリット７７Ｉには標示板９及び１１の下辺が嵌合されている。
【００３８】
図１に示す、第３のフレーム材７８と第４のフレーム材７９は、共に第１のフレーム材７６と同様に、押し出し成形により一体に形成されており、第１及び第２のフレーム材７６及び７７の端部に嵌合された状態で螺子部材により、第１及び第２のフレーム材７６及び７７の端部に固定されている。なお本実施の形態では、第１の構造体７１が、第１のフレーム材７６と、第２のフレーム材７７と、第３のフレーム材７８と第４のフレーム材７９とから構成されている。
【００３９】
また本実施の形態では、図２に示すように、取付構造３は、支柱３Ａと取付板３Ｂとを備えている。取付板３Ｂは、第２の構造体７３の一部を構成する角管構造部材５０に対して、２本のボルトＢ０とナットＮ０とを用いて固定されている。２本のボルトＢ０は、支柱３Ａの両側に配置されて、取付板３Ｂと角管構造部材５０の天板部５０Ａとを貫通している。２本のボルトＢ０は、角管構造部材５０の天井部５０Ａに形成された長孔形状の貫通孔５０Ｂを貫通しており、その先端部にナットＮ０が螺合されている。ナットＮ０は角管構造部材５０の横面に形成された貫通穴５０Ｃを利用してボルトＢ０に取り付けることができる。角管構造部材５０は、下面部５０Ｄに開いたボルト孔を通してボルトＢで第１のフレーム材７６と締結される。
【００４０】
取付構造３でない箇所においては、図２に示すと同様に、第２の構造体７３の内部の一部には、上記の長孔や貫通孔が無く垂直面にボルト孔が開いた複数個の角管構造部材５０がボルトＢで第１のフレーム材７６に締結されている。分割構造体を構成する外壁構造部（５３，５５）を角管構造部材５０の垂直面にボルト５７で締結することで第２の構造体７３は構成されている。角管構造部材５０は図１に示す内部補強材７５Ａ乃至７５Ｅに対応する位置で第１のフレーム材７６にボルトＢ（図３）を用いて固定されている。
【００４１】
また、図３に示すように、電源装置８１は、入力側は交流１００Ｖ又は２００Ｖを使用し、出力側はＬＥＤの仕様に応じて直流１２Ｖ又は１５Ｖに変換するＡＣ・ＤＣ電源であり、上記変換に伴い回路に熱が発生するため、パンチングメタル製のフレーム構造体５２で囲まれて使用される。フレーム構造体５２は、外壁構造部材（５３又は５５）に嵌合する略Ｌ字状の金属板よりなる電源放熱板５４と螺子部材５７Ａで締結されている。電源放熱板５４には、外壁構造部を構成する一対の外壁構造部材５３及び５５のいずれかと螺子部材５７により螺子止めする際に利用される螺子孔が形成されている。そして電源放熱板５４には、電源装置８１が保持され、外壁構造部材（５３又は５５）の内壁に螺子部材５７を用いて固定されている。一対の外壁構造部材５３及び５５を角管構造部材５０と締結している螺子部材５７を取り外すことにより、電源装置８１は、外壁構造部材（５３又は５５）を取り出すのと一緒に外部に取り外すことが可能になっている。その結果、本実施の形態によれば、電源装置８１の点検修理が容易になる。尚、本実施例では電源装置８１と第１のフレーム材７６の間には電源装置８１からの放射熱が第１のフレーム材７６に伝わるのを遮るよう図示しないゴム板を敷いている。
【００４２】
図３及び図４に示すように、本実施の形態では、外壁構造部を構成する外壁構造部材５３，５５は、長手方向（図面の紙面と直交する方向）と直交する方向の断面形状が、クランク形状を呈している。具体的には、側壁５３Ａ，５５Ａと、側壁５３Ａ，５５Ａに連続し且つフレーム構造体５２の連結部５２Ｃに沿う連結壁５３Ｂ，５５Ｂと、連結壁５３Ｂ，５５Ｂに連続し且つ連結部５２Ｃと直交する方向に延びるスリット形成部５３Ｃ，５５Ｃとから構成されている。本実施の形態では側壁５３Ａ，５５Ａが外壁部分を構成しており、連結壁５３Ｂ，５５Ｂとスリット形成部５３Ｃ，５５Ｃとから、第２の構造体７３の外面が構成されている。
【００４３】
図３及び図４に示すように、スリット形成部５３Ｃ，５５Ｃは、間に隙間５４及び５６を形成する一対の側壁５７Ａ及び５７Ｂ並びに５９Ａ及び５９Ｂを備えている。隙間５４及び５６には、標示板９及び１１の一辺９Ａ及び１１Ａが嵌合されている。すなわち標示板９及び１１の一辺９Ａ及び１１Ａは、間に隙間５４及び５６を形成する一対の側壁５７Ａ及び５７Ｂ並びに５９Ａ及び５９Ｂによって囲まれている。また外壁構造部材５３，５５がフレーム構造体５１に取り付けられた状態において、スリット形成部５３Ｃ，５５Ｃの側壁５７Ｂ及び５９Ｂと、前述の第１のフレーム材７６の対向壁部７６Ａ及び７６Ｂとの間には、導光板ユニット１３及び１５の一辺を収納する隙間６１及び６３が形成されている。
【００４４】
図５は、導光板ユニット１５に、回路基板ユニット２７が装着された３つの基板ユニット取付具３１を取り付けた状態の拡大斜視図を示している。図３及び図４に示すように、基板ユニット取付具２９及び３１は、アルミニュームのように熱伝導性に優れた金属材料によって形成され、その長手方向と直交する方向の断面形状はクランク形状をなしている。基板ユニット取付具２９及び３１は、導光板ユニット１３及び１５の放熱板２１及び２３に固定される被固定部としての第１の平板部２９Ａ及び３１Ａと、回路基板ユニット２５及び２７が固定される第２の平板部２９Ｂ及び３１Ｂと、導光板１７及び１９の前面と接触する接触部としての第３の平板部２９Ｃ及び３１Ｃとを備えている。導光板ユニット１３及び１５の放熱板２１及び２３に固定される第１の平板部２９Ａ及び３１Ａの長手方向の両端には、貫通孔が形成され、この貫通孔にプラスチックリベットＲが挿入され、プラスチックリベットＲは、放熱板を貫通して、第１のフレーム材７６の一対の対向壁部７６Ａ及び７６Ｂに形成した図示しない貫通孔に圧入される。なお図４においては、プラスチックリベットＲを第１のフレーム材７６の一対の対向壁部７６Ａ及び７６Ｂに残した状態で示してある。プラスチックリベットＲは、その頭部を引っ張ることにより、簡単に取り外すことができる。回路基板ユニット２５及び２７が固定される第２の平板部２９Ｂ及び３１Ｂの長手方向の両端部には、回路基板ユニットに接続されたリード線ＬＬを引き出すための切り欠きＣ（図５参照）が形成されている。図４に示すように回路基板ユニット２５及び２７と第２の平板部２９Ｂ及び３１Ｂとの間には熱伝導性に優れた両面テープＴが配置されて、両者間の伝熱性能を高めている。
【００４５】
図３に示すように、組立状態においては、スリット形成部５３Ｃ及び５５Ｃの側壁５７Ｂ及び５９Ｂが基板ユニット取付具２９及び３１の第３の平板部２９Ｃ及び３１Ｃと接触する。本実施の形態では、側壁５７Ｂ及び５９Ｂと基板ユニット取付具２９及び３１の第３の平板部２９Ｃ及び３１Ｃとの間の伝熱性能を高めるために、両者間に熱伝導性に優れた両面テープＴが配置されている。また図４に示すように、本実施の形態では、放熱板２１及び２３と第１のフレーム材７６の対向壁部７６Ａ及び７６Ｂとの間にも、特にプラスチックリベットＲで結合される部分間に、熱伝導性に優れた両面テープＴが配置されている。したがって本実施の形態によれば、回路基板ユニット２５及び２７に実装した複数のＬＥＤから生じる熱を、基板ユニット取付具２９及び３１を介して第１のフレーム材７６及び外壁構造部を構成する外壁構造部材５３，５５へと放熱することができる。その結果、発光時のＬＥＤの温度を従来よりも下げることができて、ＬＥＤの寿命を大幅に延ばすことができる。
【００４６】
各回路基板ユニット２５及び２７から引き出されたリード線は、コネクタ付きのワイヤハーネス構造を構成している。リード線の端部に設けられたコネクタは、第２の構造体７３内に収納された電源装置８１に含まれるコネクタ装置８３に脱着可能に接続されている。コネクタ装置８３には、複数の回路基板ユニット２５及び２７から延びる複数のリード線ＬＬの各コネクタが脱着可能に接続されている。したがって回路基板ユニットの交換を行う場合には、所定の外壁構造部材を外し、その後交換が必要な回路基板ユニットに接続されたリード線ＬＬのコネクタをコネクタ装置８３から抜き、その後プラスチックリベットＲを外して、取付具を取り外す。そして新たな回路基板ユニットが付いた取付具を取り付ければよい。このようにすれば、簡単に故障したＬＥＤを回路基板ユニットごと交換することができ、交換作業を短い時間で実行することができる。
【００４７】
本実施の形態では、例えば３個ずつの回路基板ユニット２５及び２７に対して１つの電源装置８１が設けられている。したがって本実施の形態では、２つの電源装置８１が第２の構造体７３内に収納されている。特に本実施の形態では、電源装置８１が外壁構造部材５５に対して熱伝達可能に装着されている。したがって点検または修理の際には、外壁構造部材５５を取り外すことにより、電源装置８１を第２の構造体７３から簡単に取り出すことができる。したがって電源装置８１の点検または修理が容易になる。
【００４８】
なお上記実施の形態では、基板ユニット取付具２９，３１の被固定部としての第１の平板部２９Ａ及び３１Ａを放熱板２１及び２３を間に介して第１のフレーム材７６に固定したが、放熱板２１及び２３を間に介することなく、直接第１のフレーム材７６に固定するようにしてもよい。
【００４９】
図６乃至図１０には、本発明の面発光表示装置の第２の実施の形態で用いる保持用構造物１０７が示されている。なお第１図乃至第５に示した第１の実施の形態と同様の部材には、第１図乃至第５図に付した符号に１００の数を加えた数の符号を付して詳細な説明を省略する。なお図６乃至図１０において、図が不明瞭になることを防ぐために、断面を示す部分にはハッチングの図示を省略してある。第２の実施の形態は、第１の実施の形態と比べて、長手方向の寸法が長い点と、取付位置の調整が可能な取付構造１０３が３箇所に設けられている点と、第２の構造体１７３の一部を構成する外壁構造部材１５３，１５５が複数の分割構造体１５３Ａ〜１５３Ｅ及び１５５Ａ〜１５５Ｅによって構成されている点と、遮断スイッチＳＷが実装されている点で相違する。以下主要な相違点について説明する。
【００５０】
図６（Ａ）及び図８に示すように、取付構造１０３は、第１のフレーム材１７６に固定された逆Ｔ字型の固定部材１０３Ａと、固定部材１０３Ａと対峙するＴ字型の位置調整用部材１０３Ｄと、これらを締結する二つのボルトＢ１とナットＮ１を備えている。固定部材１０３Ａは、第１のフレーム材１７６に固定されたベース１０３Ｂと起立壁部１０３Ｃとよりなり、起立壁部１０３Ｃはボルト穴の開いた両端部のみで中央部に壁は無い。位置調整用部材１０３Ｄは固定部材１０３Ａのベース部１０３Ｂと平行に延びる平板部１０３Ｆと、起立壁部１０３Ｃ’よりなり、起立壁部１０３Ｃ’はボルト穴の開いた両端部のみで中央部には壁はない。平板部１０３Ｆには、第１のフレーム材１７６の長手方向に延びる長孔１０３Ｅが形成されている。アンカーボルトＡＢに長孔１０３Ｅを通して位置調整部材１０３Ｄが挿入され、起立壁部１０３Ｃ’の壁のない中央部で、アンカーボルトＡＢの先端にナットＮが螺合される。位置調整用部材１０３Ｄの起立壁部１０３Ｃ’と固定部材１０３Ａの起立壁部１０３Ｃを重ね合わせ両端部にあるボルト穴にボルトＢ１を通しナットＮ１を締めることにより、取付構造１０３が固定される。本実施の形態によれば、長孔１０３Ｅの存在により、アンカーボルトＡＢの取付位置が不正確であっても、アンカーボルトＡＢに取付構造１０３を取り付けることができる。また、起立壁部１０３Ｃと１０３Ｃ’を重ね合わせ両端部にあるボルト穴にボルトを通しナット締めするので、ナットＮ１により容易にボルト締めができる。
【００５１】
本実施の形態では、図６に示す通り、第２の構造体１７３の一部を構成する外壁構造部材１５３，１５５が複数の分割構造体１５３Ａ〜１５３Ｅ及び１５５Ａ〜１５５Ｅによって構成されている。分割構造体１５３Ａと分割構造体１５３Ｂ及び分割構造体１５５Ａと分割構造体１５５Ｂが、図１０に示すとおり、第１のフレーム材１７６に固定された取付金具１５１Ａに螺子止めされている。同様に、分割構造体１５３Ｂと分割構造体１５３Ｃ及び分割構造体１５５Ｂと分割構造体１５５Ｃが、第１のフレーム材１７６に固定された取付金具１５１Ｂに螺子止めされ、分割構造体１５３Ｃと分割構造体１５３Ｄ及び分割構造体１５５Ｃと分割構造体１５５Ｄが、第１のフレーム材１７６に固定された取付金具１５１Ｃに螺子止めされ、分割構造体１５３Ｄと分割構造体１５３Ｅ及び分割構造体１５５Ｄと分割構造体１５５Ｅが、第１のフレーム材１７６に固定された取付金具１５１Ｄに螺子止めされている。このように外壁構造部材１５３，１５５を複数の分割構造体１５３Ａ〜１５３Ｅ及び１５５Ａ〜１５５Ｅによって構成すると、点検作業及び交換作業の際に、必要な箇所の分割構造体だけを取り外せばよく、作業効率を高めることができる。なお電源装置８１を点検する際には、分割構造体１５３Ｂを外すことにより、電源装置１８１は簡単に外部に引き出すことができる。
【００５２】
また本実施の形態では、図６及び図７に示すとおり、第２の構造体１７３に、電源装置８１への電力の供給を遮断する遮断スイッチＳＷの操作部ＳＢが操作可能に突出する導出孔Ｈが形成されている。このように第２の構造体１７３の外部に遮断スイッチ（ブレーカ）ＳＷの操作部ＳＢが出ていれば、点検及び交換作業をする際に、遮断スイッチＳＷを切ってから作業を開始することができるので、作業の安全性を確保することができる。
【００５３】
また、本実施の形態では図９に示すとおり、電源装置１８１に電源放熱板を取り付けるのを止め、螺子部材１５７に熱伝導性の金属カバーを被せることで発生熱を排出する。
【００５４】
上記実施の形態として、駅構内で使用する案内用吊り看板を挙げたが、袖看板、立て看板や壁嵌め込み看板でも本発明を適用できる。
【産業上の利用可能性】
【００５５】
本発明によれば、回路基板ユニットが装着された熱伝導性を有する取付具を、熱伝導性を有する第１の構造体に交換可能に取り付けているので、回路基板ユニットで発生する熱が、取付具を介して第１の構造体に放熱される。回路基板ユニットを交換する際には、第２の構造体を取り外し、取付具を第１の構造体から外して、回路基板ユニットを交換することができる。このようにすると一つの回路基板ユニットで不具合（ＬＥＤの故障）が発生した場合でも、交換が容易である。
【符号の説明】
【００５６】
１  面発光表示装置
７  保持用構造物
９，１１  標示板
１３，１５  導光板ユニット
１７，１９  導光板
２１，２３  放熱板
２５，２７  回路基板ユニット
２９，３１  取付具
５１  フレーム構造体
５３，５５  外壁構造部
７１  第１の構造体
７３  第２の構造体
７６  第１のフレーム材
７７  第２のフレーム材
８１  電源装置
ＬＥＤ  発光ダイオード
【図１】
2011118041.tif 000003
【図２】
2011118041.tif 000004
【図３】
2011118041.tif 000005
【図４】
2011118041.tif 000006
【図５】
2011118041.tif 000007
【図６】
2011118041.tif 000008
【図７】
2011118041.tif 000009
【図８】
2011118041.tif 000010
【図９】
2011118041.tif 000011
【図１０】
2011118041.tif 000012